(57)【特許請求の範囲】
【請求項１】
水平方向に玉葱（８）を搬送する搬送部（２）を、前側の整列搬送装置（１６）と後側の挟持搬送装置（１７）より構成し、該挟持搬送装置（１７）の上方に玉葱（８）の根（８１）を切断する根切断装置（４）を、下方に玉葱（８）の茎（８２）を切断する茎切断装置（６）を配置した玉葱調整機において、該根切断装置（４）は前記挟持搬送装置（１７）の上方に配設し、機台（１１）上に支持フレーム（４０）を立設し、該支持フレーム（４０）の上辺（４０Ｕ）を、根切断装置（４）の上方で左右方向に略水平に横架し、該上辺（４０Ｕ）の中央付近にはブラケット（４１）を固設し、該ブラケット（４１）のピン（４１ａ）に、根切断装置（４）を構成する支持アーム（４２）の中央部を枢支し、該支持アーム（４２）はピン（４１ａ）を中心に、上下揺動自在に支持し、該支持アーム（４２）の前部には駆動手段としてモータ（４４）を固設し、該モータ（４４）より、支持アーム（４２）の後部に設ける切断ヘッド（４ａ）に動力を伝達し、前記支持アーム（４２）は付勢バネ（４３）を介して付勢し、該根切断装置（４）の後部に設けた切断ヘッド（４ａ）が付勢バネ（４３）により、玉葱（８）の上面に沿って昇降し、玉葱（８）の上部に付勢されて当接すべく構成したことを特徴とする玉葱調整機。
【請求項２】
請求項１記載の玉葱調整機において、前記切断ヘッド（４ａ）は、切断部カバー（４５）内に収納され、該切断部カバー（４５）の前面が支持アーム（４２）の後端に固設され、該切断部カバー（４５）は正面視断面が略コ字形状に構成され、その開放部（４５ｃ）を下方に向け、該切断部カバー（４５）の側板（４５ｄ・４５ｄ）に切断駆動軸（４５ａ）を左右方向に回動自在に軸支し、該切断駆動軸（４５ａ）の一端は側板（４５ｄ）の外方に突出し、前記モータ（４４）からの動力を伝達すべく構成したことを特徴とする玉葱調整機。
【請求項３】
請求項２記載の玉葱調整機において、前記切断部カバー（４５）内の切断駆動軸（４５ａ）上には、切断刃取付ディスク（４６）を固設し、該切断刃取付ディスク（４６）は、ボス部（４６ａ）と取付板（４６ｂ）より構成され、該ボス部（４６ａ）を切断駆動軸（４５ａ）に挿嵌して固着し、該取付板（４６ｂ）の左右側面には、２枚の倣い板（４７ａ・４７ｂ）を固定し、該一方の倣い板（４７ａ）は、円板の外周の一部を切り欠いて形成し、位相を１８０度ずらした２箇所に略Ｌ字状のカット部（４７ｃ・４７ｃ）を設け、他方の倣い板（４７ｂ）も同じく円板の外周にカット部（４７ｄ・４７ｄ）を設け、左右の倣い板（４７ａ・４７ｂ）のカット部（４７ｃ・４７ｃ・４７ｄ・４７ｄ）が側面視で重ならないように、取付位置の位相を９０度ずらし、前記取付板（４６ｂ）は側面視で略八角形状で倣い板（４７ａ・４７ｂ）の外径よりも小さく構成し、側面視で、カット部（４７ｃ・４７ｃ・４７ｄ・４７ｄ）から突出した部分を刃取付部（４６ｃ・４６ｃ・４６ｄ・４６ｄ）とし、切断刃（５０・５０・５０・５０）を装着したことを特徴とする玉葱調整機。
【請求項４】
請求項３記載の玉葱調整機において、前記４つの切断刃（５０・５０・５０・５０）は側面視において、前記切断刃取付ディスク（４６）の外周に等間隔に配置するように構成し、正面視で切断刃（５０・５０・５０・５０）の回転軌跡はＶ状とし、そのＶの角度は玉葱（８）の外周に略接する角度としたことを特徴とする玉葱調整機。
【請求項５】
請求項１記載の玉葱調整機において、前記整列搬送装置（１６）を、２本の平行する回転軸上に、螺旋状に搬送ブラシ（２０・２０）を装着し、互いに逆方向に回転して搬送するように構成したことを特徴とする玉葱調整機。
【請求項６】
請求項１記載の玉葱調整機において、前記整列搬送装置（１６）の中途部上方に反転機構（２８）を配置したことを特徴とする請求項１記載の玉葱調整機。
【発明の詳細な説明】
【０００１】
【発明の属する技術分野】
本発明は、玉葱を圃場から掘り取った後に、玉葱を出荷できる状態にすべく、上部の茎と下部の根を切断する調整機の技術に関するものである。
【０００２】
【従来の技術】
従来より、圃場で玉葱収穫機により収穫するときに、搬送途中にディスクカッターを配置して、茎の部分を切断する技術が公知になっており、収穫後には出荷できるように玉葱の上部の茎と根を手作業により切断していた。
【０００３】
【発明が解決しようとする課題】
しかし、前記従来技術においては、収穫時の切断では、出荷する前にもう一度玉葱の下部の根を切断する必要があり、根の部分は手作業で切断を行うか、若しくは根をつけたままの出荷を行っていた。そして手作業での切断作業は、非常に面倒で、時間を要する為、出荷のコスト高につながっていた。そこで本発明は出荷できる玉葱に調整する装置を提供しようとするものである。
【０００４】
【課題を解決するための手段】
以上が本発明の解決する課題であり、次に課題を解決するための手段を説明する。
請求項１においては、水平方向に玉葱（８）を搬送する搬送部（２）を、前側の整列搬送装置（１６）と後側の挟持搬送装置（１７）より構成し、該挟持搬送装置（１７）の上方に玉葱（８）の根（８１）を切断する根切断装置（４）を、下方に玉葱（８）の茎（８２）を切断する茎切断装置（６）を配置した玉葱調整機において、該根切断装置（４）は前記挟持搬送装置（１７）の上方に配設し、機台（１１）上に支持フレーム（４０）を立設し、該支持フレーム（４０）の上辺（４０Ｕ）を、根切断装置（４）の上方で左右方向に略水平に横架し、該上辺（４０Ｕ）の中央付近にはブラケット（４１）を固設し、該ブラケット（４１）のピン（４１ａ）に、根切断装置（４）を構成する支持アーム（４２）の中央部を枢支し、該支持アーム（４２）はピン（４１ａ）を中心に、上下揺動自在に支持し、該支持アーム（４２）の前部には駆動手段としてモータ（４４）を固設し、該モータ（４４）より、支持アーム（４２）の後部に設ける切断ヘッド（４ａ）に動力を伝達し、前記支持アーム（４２）は付勢バネ（４３）を介して付勢し、該根切断装置（４）の後部に設けた切断ヘッド（４ａ）が付勢バネ（４３）により、玉葱（８）の上面に沿って昇降し、玉葱（８）の上部に付勢されて当接すべく構成したものである。
【０００５】
請求項２においては、請求項１記載の玉葱調整機において、前記切断ヘッド（４ａ）は、切断部カバー（４５）内に収納され、該切断部カバー（４５）の前面が支持アーム（４２）の後端に固設され、該切断部カバー（４５）は正面視断面が略コ字形状に構成され、その開放部（４５ｃ）を下方に向け、該切断部カバー（４５）の側板（４５ｄ・４５ｄ）に切断駆動軸（４５ａ）を左右方向に回動自在に軸支し、該切断駆動軸（４５ａ）の一端は側板（４５ｄ）の外方に突出し、前記モータ（４４）からの動力を伝達すべく構成したものである。
【０００６】
請求項３においては、請求項２記載の玉葱調整機において、前記切断部カバー（４５）内の切断駆動軸（４５ａ）上には、切断刃取付ディスク（４６）を固設し、該切断刃取付ディスク（４６）は、ボス部（４６ａ）と取付板（４６ｂ）より構成され、該ボス部（４６ａ）を切断駆動軸（４５ａ）に挿嵌して固着し、該取付板（４６ｂ）の左右側面には、２枚の倣い板（４７ａ・４７ｂ）を固定し、該一方の倣い板（４７ａ）は、円板の外周の一部を切り欠いて形成し、位相を１８０度ずらした２箇所に略Ｌ字状のカット部（４７ｃ・４７ｃ）を設け、他方の倣い板（４７ｂ）も同じく円板の外周にカット部（４７ｄ・４７ｄ）を設け、左右の倣い板（４７ａ・４７ｂ）のカット部（４７ｃ・４７ｃ・４７ｄ・４７ｄ）が側面視で重ならないように、取付位置の位相を９０度ずらし、前記取付板（４６ｂ）は側面視で略八角形状で倣い板（４７ａ・４７ｂ）の外径よりも小さく構成し、側面視で、カット部（４７ｃ・４７ｃ・４７ｄ・４７ｄ）から突出した部分を刃取付部（４６ｃ・４６ｃ・４６ｄ・４６ｄ）とし、切断刃（５０・５０・５０・５０）を装着したものである。
【０００７】
請求項４においては、請求項３記載の玉葱調整機において、前記４つの切断刃（５０・５０・５０・５０）は側面視において、前記切断刃取付ディスク（４６）の外周に等間隔に配置するように構成し、正面視で切断刃（５０・５０・５０・５０）の回転軌跡はＶ状とし、そのＶの角度は玉葱（８）の外周に略接する角度としたものである。
【０００８】
請求項５においては、請求項１記載の玉葱調整機において、前記整列搬送装置（１６）を、２本の平行する回転軸上に、螺旋状に搬送ブラシ（２０・２０）を装着し、互いに逆方向に回転して搬送するように構成したものである。
【０００９】
請求項６においては、請求項１記載の玉葱調整機において、前記整列搬送装置（１６）の中途部上方に反転機構（２８）を配置したものである。
【００１０】
【発明の実施の形態】
次に本発明の実施の形態を添付の図面を用いて説明する。図１は本発明の玉葱調整機の左側面図、図２は同じく正面図、図３は同じく平面図、図４は同じく背面断面図、図５は根切断部の左側面拡大図、図６は根切断装置を後方から見た断面図、図７は根切断装置の主要部の左側面図、図８は茎切断部を後方から見た断面図、図９は搬送部後部に配置した選別装置の平面図である。
【００１１】
まず、全体構成について図１より説明する。本発明の玉葱調整機１は、設置台１０上に立設した複数の支柱１２・１２・・・により、左右略平行の機台１１・１１を前後方向（図１における左右方向）に支持し、機台１１・１１間は、該玉葱調整機１の前方（図１における左側）において、補強フレーム１３を横架している。そして、該機台１１・１１上には、前側の整列搬送装置１６と後側の挟持搬送装置１７等からなる、搬送部２が配設されており、該挟持搬送装置１７の上方には、玉葱８の根８１を切断する根切断装置４と、玉葱８の茎８２を切断する茎切断装置６等とから構成される切断部３を配し、その後部に選別装置１８を配置している。
【００１２】
次に、前記整列搬送装置１６の構成について図１乃至図３より説明する。左右の機台１１・１１には補強フレーム１３の後部において、下方にそれぞれ取付ステー２５ｃ・２５ｄが吊着されており、該取付ステー２５ｃ・２５ｄにより前部支持プレート２５を懸吊している。該前部支持プレート２５は正面視で略台形状をしており、その左右の一側（本実施例においては正面視で図２における右側）において搬送駆動手段として搬送モータ２２を支持固定している。そして該前部支持プレート２５の上部中央には左右一対の支持部材２５ａ・２５ｂが装着されており、該支持部材２５ａ・２５ｂは、前部支持プレート２５の上方に突出して、それぞれ搬送ブラシ２０の回転軸２０ａ・２０ｂの前部を軸支している。
【００１３】
前記支持部材２５ａ・２５ｂに軸支されたブラシ回転軸２０ａ・２０ｂは、機台１１・１１上で、図３で示すように玉葱調整機１の前方から後方にかけて、前後方向に略平行に配置されて、その他端は機台１１・１１の後部において横架された、後部支持プレート２６にそれぞれ軸支されている。そして、図２で示すように、該ブラシ回転軸２０ａ・２０ｂの前方側の一端は、前記支持部材２５ａ・２５ｂを貫通して突出し、その端部にはそれぞれ入力プーリ２１ａ・２１ｂが固設されている。また、前記搬送モータ２２の出力軸が、前部支持プレート２５の前面より突出され、その端部に出力プーリ２２ａを固設している。また、機台１１上にはテンションプーリ２３ａが回転自在に軸支されており、入力プーリ２１ａ・２１ｂ、出力プーリ２２ａ、テンションプーリ２３ａには無端帯であるベルト２４が巻回されている。
【００１４】
このような構成で、搬送モータ２２の回転駆動力が、出力プーリ２２ａを介して、入力プーリ２１ａを、図２における矢視Ｘ方向に回転駆動させ、入力プーリ２１ｂを図２における矢視Ｙ方向に回転駆動させることにより、ブラシ回転軸２０ａ・２０ｂがそれぞれ互いに逆方向の内側に回転駆動するようにしている。また、搬送ブラシ２０・２０はブラシ回転軸２０ａ・２０ｂを中心に、それぞれ螺旋状に毛体が突出され、左右の搬送ブラシ２０・２０の巻方向は互いに逆巻となるようにしている。そして、正面視において左右の搬送ブラシ２０・２０の外周端が近接して配置され、該搬送ブラシ２０・２０を回転駆動することによって、毛体と毛体の間に玉葱の茎部が入り、その状態で後方へ搬送するようにしている。
【００１５】
また、搬送部２の前方側には搬送ブラシ２０・２０の左右両側に、側方ガイドフレーム１４・１４が装着されている。側方ガイドフレーム１４・１４は機台１１上に立設された支柱１４ａ・１４ａにより、平面視略Ｕ字状のフレーム１４ｂを支持しており、フレーム１４ｂ・１４ｂは搬送部２上で前後方向に長く配設され、その高さは搬送ブラシ２０・２０上を搬送される玉葱８が搬送ブラシ２０・２０上から側方へ落下しないように適度な高さに調整可能として、玉葱８が搬送ブラシ２０・２０の間上を後方へ搬送されるようにガイドしている。
【００１６】
そして、平面視で略Ｕ字状の前方ガイドフレーム１５が搬送部２の前端に前後方向に配設され、前方位置を高くして後方に向けて下降するよう傾斜させ、その前端はホッパー１９に接続され、その後端は左右両側のフレーム１４ｂ・１４ｂに固接し、側方ガイドフレーム１４・１４とあわせて、玉葱８をホッパー１９から供給して安定して搬送可能としている。
【００１７】
また、前記整列搬送装置１６の前後方向で略中央上方位置には、反転機構２８が配設されている。該反転機構２８は略円筒形状で、前記搬送ブラシ２０・２０の上方に左右方向に横架されており、図視せぬモータ等より駆動力を得て図１における矢視Ｚ方向に回転駆動する。該反転機構２８の外周は弾性体で構成され、例えば、ゴム、スポンジ等の摩擦抵抗が大きく玉葱を傷つけない柔らかい部材や表面をブラシ状に加工して適度な摩擦抵抗力を得られるように構成されている。また、反転機構２８の上下高さは調整可能として、玉葱の種類に合わせられるようにしている。
【００１８】
以上の如く構成された整列搬送装置１６において、整列搬送装置１６前方のホッパー１９から作業者が玉葱８を搬送ブラシ２０・２０上に置くと、その玉葱８は前記前方ガイドフレーム１５及び側方ガイドフレーム１４により進行方向を規制されながらガイドされて、左右搬送ブラシ２０・２０の間上を搬送される。このとき、前述の如く搬送ブラシ２０は、ブラシ回転軸２０ａ・２０ｂ上に螺旋状に装着されているので、玉葱８は該搬送ブラシ２０・２０の螺旋状に巻かれたブラシの溝上に位置し、順次後方に向けて搬送されるのである。
【００１９】
そして、後方に向けて搬送されている玉葱８は、前記反転機構２８の下方を通過するが、この時、該反転機構２８の上下高さを玉葱８の上下高さよりもやや低く調整して、反転機構２８の外周部分が玉葱の外周に接触することで、玉葱８は該反転機構２８の図１における矢視Ｚ方向の回転により摩擦力を受けて反転機構２８とは逆方向に回転する。該反転機構２８により茎８２が下方に向くように回転される。そして、両搬送ブラシ２０・２０はその近接面において上方から下方に向かうように回転しているので、玉葱８の茎８２は搬送ブラシ２０・２０の回転で下方へ引っ張られ、玉葱８は下方を向いた状態のまま後方に搬送されていくのである。但し、反転機構２８の回転は逆回転でも可能である。
【００２０】
次に、切断部３の構成について図３より説明する。切断部３は前記搬送部２の後方に位置し、玉葱８を左右から挟持して搬送する挟持搬送装置１７と、その下方の茎切断装置６と、上方の根切断装置４より構成されている。挟持搬送装置１７の前部は、前記整列搬送装置１６の後部と一部でラップし、搬送が途切れないようにし、後述する挟持ベルト３０・３０による搬送速度は搬送ブラシ２０・２０による搬送速度よりも相対的に速くしており、搬送ブラシ２０・２０後端部で詰まることなく、速く排出できるようにしている。
【００２１】
挟持搬送装置１７の構成は、切断部３の前方側において左右の機台１１・１１に、ローラ台３２ａ・３２ａが支持され、切断部３の後方側において左右の機台１１・１１にローラ台３２ｂ・３２ｂが支持され、該ローラ台３２ａ・３２ａ上にそれぞれベルト搬送ローラ３１ａ・３１ｂ・３１ｃを、該ローラ台３２ｂ・３２ｂ上にそれぞれ搬送ローラ３１ｄ・３１ｅ・３１ｆを、それぞれその支持軸を垂直方向に向けて回転自在に軸支している。
【００２２】
そして、左右の搬送ローラ３１ａ・３１ｂ・３１ｃ・３１ｄ・３１ｅ・３１ｆに、それぞれ挟持ベルト３０・３０を巻回し、前記内側の搬送ローラ３１ｂ・３１ｂ・３１ｅ・３１ｅはアームを介してバネ３９・３９・・・によって内側（搬送面側）に回動するように付勢され、両挟持ベルト３０・３０によって玉葱の大小にかかわらず挟持して搬送できるようにしている。該挟持ベルト３０は平面視において玉葱調整機１の前後方向に長い略楕円形上となるよう巻回されて、左右の挟持ベルト３０・３０を対称に対向配置させ、その間隔を玉葱８の幅よりも狭くすることにより、玉葱を挟み込んで搬送し、切断するときに玉葱８が振れて切断位置がズレないようにしている。
【００２３】
このように構成された挟持ベルト３０・３０は、図示せぬモータにより搬送ローラを介して互いに逆方向に駆動されて、前記搬送ローラの周囲を３１ａ・３１ｂ・３１ｅ・３１ｆ・３１ｄ・３１ｃの順に、つまり図１における矢視α・α’方向に回転する。ここで該挟持ベルト３０は、前記搬送ローラ３１ａ・３１ｂ・３１ｃ・３１ｄ・３１ｅ・３１ｆに外接する平ベルト部３０ａと、該平ベルト部３０ａの外周に固着されたクッション部３０ｂより形成されており、該クッション部３０ｂはゴムやスポンジ等の弾性部材等で構成され、外周に複数の切り込みが設けられ、搬送ローラ３１の外周部で挟持ベルト３０の外周が千切れたり、肉厚が減少することを防止している。
【００２４】
また、平ベルト部３０ａとの接合面とは反対側の側面、つまり、搬送面側には略円弧状の凹部３０ｃが搬送方向と平行に形成して、言い換えれば、搬送面に凹溝が長手方向に形成されており、該凹部３０ｃにおいて搬送されてくる玉葱８を両側から挟み込み、玉葱が揺れたり姿勢が崩れたりすることなく確実に搬送できるようにしている。但し、前記クッション部３０ｂは、切り込みを設けず外周側の円周を長くするように構成し、連続面となる外周側に凹部３０ｃを形成すれば、同様の効果が得られる。また、前記凹部３０ｃの形状は円弧状に限定されるものではなく、その他三角形や角形の凹部形状であっても、窪み形状により玉葱８を挟み込めるように構成すればよい。
【００２５】
次に、根切断装置４の構成について図４乃至図７を用いて説明する。根切断装置４は前記挟持ベルト３０・３０の前後方向で略中央位置の上方に配設されている。図４及び図５で示すように切断部３の機台１１・１１上には正面視で略逆Ｕ字状の支持フレーム４０が立設されており、該支持フレーム４０の上辺４０Ｕが切断部３の上方で左右方向に略水平に横架され、該上辺４０Ｕの中央付近にはブラケット４１が固設されている。そして支持アーム４２を該ブラケット４１の下方から係合させ、ピン４１ａを挿嵌し、該支持アーム４２をピン４１ａを中心にして上下方向に回動自在に支持している。
【００２６】
また、前記ブラケット４１の上部にステー４１ｂが取付けられ、該ステー４１ｂにネジロッド４１ｃが挿入されてナットを螺装し、該ナットでステー４１ｂを挟んで固定するようにし、該ネジロッド４１ｃの前端に係止孔を設けて付勢ばね４３の一端を係止している。一方、前記支持アーム４２の前端部にばね係止孔４２ａが設けられ、該ばね係止孔４２ａに前記付勢ばね４３の他端が係止されている。このようにして根切断装置４の後部に設ける切断ヘッド４ａが支持アーム４２を介して揺動可能に支持され、付勢ばね４３によって切断ヘッド４ａが玉葱８の上部に当接するように付勢している。
【００２７】
前記支持アーム４２の後部に設けられる切断ヘッド４ａは、切断部カバー４５内に収納されており、該切断部カバー４５の前面が前記支持アーム４２の後端に固設され、該切断部カバー４５は正面視及び側面視の断面が略コ字形状に構成され、その開放部４５ｃを下方に向けている。そして、図６に示すように切断部カバー４５の側板４５ｄ・４５ｄの下部に設けられたボス部４５ｅ・４５ｅに切断駆動軸４５ａが左右方向に回動自在に軸支され、該切断駆動軸４５ａの一端は側板４５ｄの外方に突出し、切断駆動入力プーリ４５ｂを固設している。一方、前記支持アーム４２の前部の側面には駆動手段としてモータ４４が固設され、該モータ４４の駆動軸４４ａに出力プーリ４４ｂを固設し、モータ４４の駆動力を出力プーリ４４ａ、ベルト、切断駆動入力プーリ４５ｂを介して伝達し、切断駆動軸４５ａを駆動するよう構成している。
【００２８】
そして、前記切断部カバー４５の内の切断駆動軸４５ａ上には、切断刃取付ディスク４６が固設されている。該切断刃取付ディスク４６は、ボス部４６ａと取付板４６ｂより構成され、該ボス部４６ａを切断駆動軸４５ａに挿嵌して固着し、該取付板４６ｂの左右側面には倣い板４７ａ・４７ｂを装着し、それぞれボルト４８ａ・４８ａ、ボルト４８ｂ・４８ｂで固定している。
【００２９】
該倣い板４７ａは図７で示すように、円板の外周の一部を切り欠いて形成したものであり、本実施例では位相を１８０度ずらした２箇所に略Ｌ字状のカット部４７ｃ・４７ｃを設け、倣い板４７ｂも同じく円板の外周にカット部４７ｄ・４７ｄを設けた形状として、左右の倣い板４７ａ・４７ｂのカット部４７ｃ・４７ｃ・４７ｄ・４７ｄが側面視で重ならないようずらしている。即ち、倣い板４７ａ・４７ｂの取付位置の位相を９０度ずらすようにしている。
【００３０】
また、前記取付板４６ｂは側面視で略八角形状で倣い板４７ａ・４７ｂの外径よりも小さく構成しており、これらを重ねたときに、カット部４７ｃ・４７ｃ・４７ｄ・４７ｄから突出部分を刃取付部４６ｃ・４６ｃとし、該刃取付部４６ｃ・４６ｃの側面に取付座４９・４９が固設されている。該取付座４９・４９は刃取付部部４６ｃの側面に対して直角よりもやや大きい角度で外方に傾けて固着され、該取付座４９・４９に切断刃５０・５０を装着している。また、同様にして倣い板４７ｂ側の側面においても、側面視で倣い板４７ｂとは重ならない刃取付部４６ｄ・４６ｄに取付座４９・４９、切断刃５０・５０を装着している。
【００３１】
このように、側面視において４つの切断刃５０・５０・５０・５０が切断刃取付ディスク４６上の外周に等間隔に配置するように構成し、正面視で切断刃５０・５０・５０・５０の回転軌跡はＶ状となるようにし、そのＶの角度は玉葱８の外周に略接する角度としている。但し、本実施例では切断刃を片側二枚としているが、三枚以上配置することも可能であり、枚数を限定するものではない。そして図４で示すように、倣い板４７ａ・４７ｂ、切断刃５０・５０・・・を両側から挟むようにして左右一対のガイドローラ５１・５１が切断部カバー４５のボス部４５ｅ・４５ｅ上に遊嵌され、玉葱８の上面に当接するようにしている。（図６においては、ガイドローラ５１・５１を図示していない。）
【００３２】
このような構成において、玉葱８が挟持ベルト３０・３０により挟持されて搬送されてくると、左右一対のガイドローラ５１・５１が玉葱８の根８１の両側の外周に当接して、切断ヘッド４ａは上方に押し上げられるが、前記付勢ばね４３の弾性力により下方にむけて押して浮き上がらないようにし、前記ガイドローラ５１・５１及び倣い板４７ａ・４７ｂが玉葱８の上面と適度な圧接関係を保つのである。
【００３３】
そして、切断刃５０・５０・・・により玉葱８の根を切断するが、この時、切断刃５０・５０・・・と玉葱８の間隔は、付勢ばね４３の付勢により離れることはなく確実に切断が行え、また倣い板４７ａ・４７ｂによって切断刃５０と根８１が位置する玉葱８の上面との間隔を決定して一定に保ち、近づきすぎることがないので、深く噛みこむことなくスムーズな切断が行えるのである。また、切断刃５０・５０・・・は切断駆動軸４５ａに対して外方に傾けて装着されているので、切断刃５０・５０・・・が玉葱８の上面に沿うようになり、玉葱８の頂部周辺の根８１が長く残ることを防止している。また、切断刃５０が玉葱８に接触する前に、ガイドローラ５１・５１の倣いによって、切断刃５０が玉葱８に対して略適正に位置決めされて、ついで切断刃５０が玉葱８の突出した部位（根８１）を切断するよう構成している。
【００３４】
また、図８で示すように前記挟持ベルト３０・３０の前後方向で略中央位置の下方には茎切断装置６が配設されている。該茎切断装置６は、水平方向に回転する左右の切断刃６１ａ・６１ｂが対向配置されており、該切断刃６１ｂと切断刃６１ａは上下高さをずらせて、一方がわずかに高くなるように配置し、平面視においてその外周端部が重なるようにしている。また、切断刃６１ａ・６１ｂの外周は鋸状に構成して、それぞれ図視せぬモータ等から駆動力をえて水平方向に回転する。
【００３５】
このような構成において、前記挟持ベルト３０・３０上を搬送されてくる玉葱８は、前記反転機構２８により下方に茎８２を向けた状態で該茎切断装置６に送られる。そして２枚の切断刃６１ａ・６１ｂにより茎８２を切断するが、この時、切断刃６１ａ・６１ｂが前述の通り、その外周部に重複しろを持たせているので、軟らかい茎８２も、逃がすことなく確実に切断できるのである。
【００３６】
以上で説明したように根切断部４及び茎切断部６により上下の根８１及び茎８２を切断された玉葱８は、切断部３を通過し、玉葱調整機１をさらに後方に向かって挟持ベルト３０・３０により搬送される。
【００３７】
そして、図９に示すように、切断部３の後部には選別装置１８が配置されている。該選別装置１８は前記挟持ベルト３０・３０を利用して、その終端部下方に大きさ毎に分けた複数の回収容器またはコンベア３８ａ・３８ｂ・３８ｃを配置したものである。つまり、挟持ベルト３０・３０の後部は、後方ほどその間隔が広がるように構成されており、その広がる挟持ベルト３０・３０の下方に、搬送方向に対して直角方向に搬送するコンベア３８ａ・３８ｂ・３８ｃを平行に配置しているのである。
【００３８】
このように構成することによって、挟持ベルト３０・３０によって切断後の玉葱８・８・・・が搬送されてくると、サイズの小さな玉葱８から順に下方に落下していき、最後まで挟持搬送された大きいサイズの玉葱が後端のコンベア３８ｃに落下するのである。従って、玉葱専用の選別装置は整列させて搬送し、大きさ毎にピックアップする必要があり、複雑な構成で高価であったが、本発明のような構成であると、玉葱は整列された搬送後に、サイズの小さい順に落下していくだけの構成であるので、構造が簡単であり、安価に構成でき、スペースも小さくて済むのである。
【００３９】
【発明の効果】
本発明は以上の如く構成したので、次のような効果を奏するものである。
請求項１においては、水平方向に玉葱（８）を搬送する搬送部（２）を、前側の整列搬送装置（１６）と後側の挟持搬送装置（１７）より構成し、該挟持搬送装置（１７）の上方に玉葱（８）の根（８１）を切断する根切断装置（４）を、下方に玉葱（８）の茎（８２）を切断する茎切断装置（６）を配置した玉葱調整機において、該根切断装置（４）は前記挟持搬送装置（１７）の上方に配設し、機台（１１）上に支持フレーム（４０）を立設し、該支持フレーム（４０）の上辺（４０Ｕ）を、根切断装置（４）の上方で左右方向に略水平に横架し、該上辺（４０Ｕ）の中央付近にはブラケット（４１）を固設し、該ブラケット（４１）のピン（４１ａ）に、根切断装置（４）を構成する支持アーム（４２）の中央部を枢支し、該支持アーム（４２）はピン（４１ａ）を中心に、上下揺動自在に支持し、該支持アーム（４２）の前部には駆動手段としてモータ（４４）を固設し、該モータ（４４）より、支持アーム（４２）の後部に設ける切断ヘッド（４ａ）に動力を伝達し、前記支持アーム（４２）は付勢バネ（４３）を介して付勢し、該根切断装置（４）の後部に設けた切断ヘッド（４ａ）が付勢バネ（４３）により、玉葱（８）の上面に沿って昇降し、玉葱（８）の上部に付勢されて当接すべく構成したので、切断刃５０・５０・・・により玉葱８の根を切断するが、この時、切断刃５０・５０・・・と玉葱８の間隔は、付勢ばね４３の付勢により離れることはなく確実に切断が行え、また倣い板４７ａ・４７ｂによって切断刃５０と根８１が位置する玉葱８の上面との間隔を決定して一定に保ち、近づきすぎることがないので、深く噛みこむことなくスムーズな切断が行えるのである。
また、切断刃５０・５０・・・は切断駆動軸４５ａに対して外方に傾けて装着されているので、切断刃５０・５０・・・が玉葱８の上面に沿うようになり、玉葱８の頂部周辺の根８１が長く残ることを防止している。
【００４０】
請求項２の如く、前記切断ヘッド（４ａ）は、切断部カバー（４５）内に収納され、該切断部カバー（４５）の前面が支持アーム（４２）の後端に固設され、該切断部カバー（４５）は正面視断面が略コ字形状に構成され、その開放部（４５ｃ）を下方に向け、該切断部カバー（４５）の側板（４５ｄ・４５ｄ）に切断駆動軸（４５ａ）を左右方向に回動自在に軸支し、該切断駆動軸（４５ａ）の一端は側板（４５ｄ）の外方に突出し、前記モータ（４４）からの動力を伝達すべく構成したので、切断刃５０・５０・・・は切断駆動軸４５ａに対して上下方向に、かつ外方に傾けて装着されているので、切断刃５０・５０・・・が玉葱８の上面に沿うようになり、玉葱８の頂部周辺の根８１が長く残ることを防止している。また、切断刃５０が玉葱８に接触する前に、ガイドローラ５１・５１の倣いによって、切断刃５０が玉葱８に対して略適正に位置決めされて、ついで切断刃５０が玉葱８の突出した部位（根８１）を切断するよう構成できたのである。
【００４１】
請求項３の如く前記切断部カバー（４５）内の切断駆動軸（４５ａ）上には、切断刃取付ディスク（４６）を固設し、該切断刃取付ディスク（４６）は、ボス部（４６ａ）と取付板（４６ｂ）より構成され、該ボス部（４６ａ）を切断駆動軸（４５ａ）に挿嵌して固着し、該取付板（４６ｂ）の左右側面には、２枚の倣い板（４７ａ・４７ｂ）を固定し、該一方の倣い板（４７ａ）は、円板の外周の一部を切り欠いて形成し、位相を１８０度ずらした２箇所に略Ｌ字状のカット部（４７ｃ・４７ｃ）を設け、他方の倣い板（４７ｂ）も同じく円板の外周にカット部（４７ｄ・４７ｄ）を設け、左右の倣い板（４７ａ・４７ｂ）のカット部（４７ｃ・４７ｃ・４７ｄ・４７ｄ）が側面視で重ならないように、取付位置の位相を９０度ずらし、前記取付板（４６ｂ）は側面視で略八角形状で倣い板（４７ａ・４７ｂ）の外径よりも小さく構成し、側面視で、カット部（４７ｃ・４７ｃ・４７ｄ・４７ｄ）から突出した部分を刃取付部（４６ｃ・４６ｃ・４６ｄ・４６ｄ）とし、切断刃（５０・５０・５０・５０）を装着したので、切断刃５０が玉葱８に接触する前に、ガイドローラ５１・５１の倣いによって、切断刃５０が玉葱８に対して略適正に位置決めされて、ついで切断刃５０が玉葱８の突出した部位（根８１）を切断するよう構成している。
また、切断刃が玉葱の上部に深く噛み込むことを防止し、一定の長さで根を切断できるようになり、スムーズな切断工程が可能となったのである。
【００４２】
請求項４の如く、前記４つの切断刃（５０・５０・５０・５０）は側面視において、前記切断刃取付ディスク（４６）の外周に等間隔に配置するように構成し、正面視で切断刃（５０・５０・５０・５０）の回転軌跡はＶ状とし、そのＶの角度は玉葱（８）の外周に略接する角度としたので、切断刃５０・５０・・・が玉葱８の上面に沿うようになり、玉葱８の頂部周辺の根８１が長く残ることを防止している。
【００４３】
請求項５の如く、前記整列搬送装置（１６）を、２本の平行する回転軸上に、螺旋状に搬送ブラシ（２０・２０）を装着し、互いに逆方向に回転して搬送するように構成したので、整列搬送装置に載せられた玉葱は、ブラシとブラシの間の螺旋状の溝に嵌まりこんで傷つくことなく搬送され、さらに、左右のブラシの内方向への回転によって茎が下方に引っ張られて、玉葱が根を上に向けた一定方向の姿勢となって確実に搬送可能となった。
【００４４】
請求項６の如く、前記整列搬送装置（１６）の中途部上方に反転機構（２８）を配置したので、玉葱は茎が下方を向いて茎が左右のブラシ間に挟まれるまで強制的に回転され、玉葱を所定方向に確実に向けることができるようになり、後工程の切断部で、確実に根及び茎を切断できるようになったのである。
【図面の簡単な説明】
【図１】  本発明の玉葱調整機の左側面図である。
【図２】  玉葱調整機の正面図である。
【図３】  玉葱調整機の平面図である。
【図４】  玉葱調整機の背面断面図である。
【図５】  根切断部の左側面拡大図である。
【図６】  根切断装置を後方から見た断面図である。
【図７】  根切断装置の主要部の左側面図である。
【図８】  茎切断部を後方から見た断面図である。
【図９】  搬送部後部に配置した選別装置の平面図である。
【符号の説明】
１    玉葱調整機
２    搬送部
３    切断部
４    根切断装置
６    茎切断装置
８    玉葱
１６  整列搬送装置
１７  挟持搬送装置
１８  選別装置
２０  搬送ブラシ
２０ａ  ブラシ回転軸
２０ｂ  ブラシ回転軸
２８  反転機構
８１  （玉葱の）根
８２  （玉葱の）茎
【図１】
0003881788.tif 000002
【図２】
0003881788.tif 000003
【図３】
0003881788.tif 000004
【図４】
0003881788.tif 000005
【図５】
0003881788.tif 000006
【図６】
0003881788.tif 000007
【図７】
0003881788.tif 000008
【図８】
0003881788.tif 000009
【図９】
0003881788.tif 000010